(57)【要約】【課題】レンズ鏡筒内部のゴミが他の部品へ付着することを防ぐことのできるレンズ鏡筒を提供すること。【解決手段】第１の筒と、前記第１の筒と径方向に対向する第２の筒とを有し、前記第２の筒の前記第１の筒と対向する部分には凹溝が形成され、前記凹溝の内部には粘着物が備えられ、前記粘着物と前記第１の筒との間には空間が介在していることを特徴とするレンズ鏡筒。【選択図】図２
2012173408.tif 000002
【特許請求の範囲】
【請求項１】
第１の筒と、
前記第１の筒と径方向に対向する第２の筒とを有し、
前記第２の筒の前記第１の筒と対向する部分には凹溝が形成され、
前記凹溝の内部には粘着物が備えられ、
前記粘着物と前記第１の筒との間には空間が介在していることを特徴とするレンズ鏡筒。
【請求項２】
請求項１に記載されたレンズ鏡筒であって、
前記第１の筒にはカム溝が形成され、前記カム溝は前記粘着物と対向する位置を通過可能であることを特徴とするレンズ鏡筒。
【請求項３】
請求項１または２に記載されたレンズ鏡筒であって、
前記凹溝は光軸方向の長さよりも周方向の長さの方が長いことを特徴とするレンズ鏡筒。
【請求項４】
請求項１から３の何れか一項に記載されたレンズ鏡筒であって、
前記凹溝は周方向に沿って複数備えられていることを特徴とするレンズ鏡筒。
【請求項５】
請求項１から４の何れか一項に記載されたレンズ鏡筒であって、
前記凹溝は、前記第２の筒の像側端部近傍に設けられていることを特徴とする。
【請求項６】
請求項１から５の何れか一項に記載されたレンズ鏡筒であって、
前記粘着物は粘着シートであることを特徴とするレンズ鏡筒。
【発明の詳細な説明】
【技術分野】
【０００１】
本発明は、レンズ鏡筒に関する。
【背景技術】
【０００２】
従来、レンズ鏡筒の内部のゴミが撮像素子へ付着することを防止するために、レンズ鏡筒を分解清掃してゴミを除去したり、あるいは特許文献１のように、カメラ本体内に集塵装置を設けたりしている。
【０００３】
このようなゴミは、レンズ鏡筒の組み立て時に生じたものが組み立て後においてもレンズ鏡筒の内部に残存したものであったり、レンズ鏡筒の組み立て後に外部からレンズ鏡筒内に侵入したものであったりする。
【先行技術文献】
【特許文献】
【０００４】
【特許文献１】特開２００６−３５２５１６号公報
【発明の概要】
【発明が解決しようとする課題】
【０００５】
近年、部品の高精度化が進んでおり、レンズ鏡筒内部のゴミを撮像素子やズーミング機構等の部品に付着させないようにすることが重要になっている。
【０００６】
本発明はこのような状況に鑑みてなされたものであり、レンズ鏡筒内部のゴミが他の部品へ付着することを防止することのできるレンズ鏡筒を提供することを目的とする。
【課題を解決するための手段】
【０００７】
本発明は、以下のような解決手段により、前記課題を解決する。なお、理解を容易にするために、本発明の実施の形態に対応する符号を付して説明するが、これに限定されるものではない。すなわち、請求項１の発明は、第１の筒（７）と、前記第１の筒と径方向に対向する第２の筒（３）とを有し、前記第２の筒の前記第１の筒と対向する部分（５）には凹溝（１３ａ、１３ｂ）が形成され、前記凹溝の内部には粘着物（１５）が備えられ、前記粘着物と前記第１の筒との間には空間（Ｓ）が介在していることを特徴とするレンズ鏡筒である。
【０００８】
請求項２の発明は、請求項１に記載されたレンズ鏡筒であって、前記第１の筒にはカム溝（１１）が形成され、前記カム溝は前記粘着物と対向する位置を通過可能であることを特徴とするレンズ鏡筒である。
【０００９】
請求項３の発明は、請求項１または請求項２に記載されたレンズ鏡筒であって、前記凹溝は光軸方向の長さよりも周方向の長さの方が長いことを特徴とするレンズ鏡筒である。
【００１０】
請求項４の発明は、請求項１から請求項３までの何れか一項に記載されたレンズ鏡筒であって、前記凹溝は周方向に沿って複数備えられていることを特徴とするレンズ鏡筒である。
【００１１】
請求項５の発明は、請求項１から請求項４までの何れか一項に記載されたレンズ鏡筒であって、前記凹溝は、前記第２の筒の像側端部近傍に設けられていることを特徴とするレンズ鏡筒である。
【００１２】
請求項６の発明は、請求項１から請求項５までの何れか一項に記載されたレンズ鏡筒であって、前記粘着物は粘着シートであることを特徴とするレンズ鏡筒である。
【発明の効果】
【００１３】
本発明によれば、レンズ鏡筒内部のゴミが他の部品へ付着することを防止することのできるレンズ鏡筒を提供することができる。
【図面の簡単な説明】
【００１４】
【図１】実施形態に係るレンズ鏡筒の外観図であり、外筒の一部を透視して示す図である。
【図２】ズーミングの際の内筒の回転方向および移動方向を示す図である。
【図３】内筒の外観図である。
【図４】凹部近傍の断面の拡大図であり、外筒にカム溝が形成されていない部分を示す図である。
【図５】凹部近傍の断面の拡大図であり、外筒にカム溝が形成されている部分を示す図である。
【発明を実施するための形態】
【００１５】
以下、本発明の一つの実施形態について図面を参照しつつ説明する。なお、図１〜図３においては、紙面左側が物体側であり、紙面右側が像側である。
【００１６】
図１は、本発明の実施形態に係るレンズ鏡筒の外観図であり、外筒の一部を透視して示す図である。図２は、ズーミングの際の内筒の回転方向および移動方向を示す図である。
【００１７】
図１に示すように、本実施形態に係るレンズ鏡筒１は、内筒３と、内筒３の外径側に配置された外筒７とを備えている。内筒３の内側には、光学系（図示省略）が配置される。内筒３はズーミングの際、ズーミング機構（図示省略）によって、図２の矢印Ａに示すように周方向に回転しながら、あるいは回転はせずに、外筒７の内側を矢印Ｂに示す光軸Ｌ方向へ移動する。これにより、レンズ鏡筒１は、図２に示すように、望遠端状態から広角端状態へ、または広角端状態から望遠端状態へ亘り全長が変化するようになっている。外筒７にはカム溝１１（図５参照）が形成され、カム溝１１には内筒３に形成されたカム（図示省略）が係合し、内筒３の移動はカム溝１１によって案内される。
【００１８】
図３は内筒３の外観図である。図３に示すように、内筒３の像側端部近傍の外周面５には凹部１３ａ、１３ｂが形成されている。本実施形態では２つの凹部１３ａ、１３ｂが光軸Ｌを挟んで対称の位置に形成されている。凹部１３ａ、１３ｂは光軸Ｌ方向の長さ寸法よりも周方向の長さ寸法の方が大きく、したがって幅が広い溝状の形状に形成されており、周方向に延在している。凹部１３ａ、１３ｂは外筒７の内周面９（図４参照）と対向しており、内筒３が外筒７の内部を移動しても、図１および図２に示すように、外筒７の端部よりも光軸Ｌ方向に外側へ出ることはない位置に形成されている。
【００１９】
図４および図５は凹部１３ａ近傍の断面の拡大図であり、図４は外筒７にカム溝１１（図５参照）が形成されていない部分を示し、図５は外筒７にカム溝１１が形成されている部分を示している。以下、図４および図５を参照して凹部１３ａの構成について説明するが、図示しないもう一方の凹部１３ｂも同様の構成である。
【００２０】
図４に示すように、凹部１３ａには粘着シート１５が貼着されている。また、粘着シート１５の表面は、図４に示すように、凹部１３ａに配置された状態において、内筒３の外周面５よりも内径側に位置している。このため、粘着シート１５と外筒７の内周面９との間には空間Ｓが介在している。空間Ｓが介在することにより、ズーミング時に内筒３が外筒７の内部を移動しても、粘着シート１５が外筒７の内周面９に接触することはなく、内筒３の移動を妨げることはない。
【００２１】
凹部１３ａに貼着された粘着シート１５は、レンズ鏡筒１の内部に存在している浮遊するゴミを吸着する。レンズ鏡筒１の内部に存在するゴミは、レンズ鏡筒１の組み立て時に生じたものが残存していたり、組み立て後のレンズ交換時やレンズ鏡筒１の動作時等に外気あるいはカメラ本体側（図示省略）から侵入したりしたものである。レンズ鏡筒１は外筒７にカム溝１１が形成されているので、外気と接するカム溝１１はゴミが付着しやすく、またカム溝１１を介して外気からゴミが進入する可能性が高い。
【００２２】
本実施形態では、撮影者がズーミング操作をすると、内筒３は、図２に示すように周方向に回転しながら、あるいは回転はせずに、光軸Ｌ方向に移動する。このとき、内筒３の移動によってレンズ鏡筒１の内部の空気は流動する。この空気の流動によってレンズ鏡筒１の内部を浮遊しているゴミが移動し、粘着シート１５の表面に衝突する。そうすると粘着シート１５の表面の粘着力により、衝突したゴミがそのまま粘着シート１５に捕獲される。また、内筒３が外筒７の内側を移動すれば、凹部１３ａは内周面９と対向して、図４に示すように外筒７のカム溝１１が形成されていない部分と、図５に示すようなカム溝１１が形成されている部分とを通過する。つまり、カム溝１１は粘着シート１５と対向する位置を通過する。このような構成なので、粘着シート１５はカム溝１１に付着したゴミも吸着することができる。
【００２３】
さらに、内筒３が望遠端または広角端に達すると、内筒３が機械的にその移動を停止する際の作動衝撃により、内筒３および外筒７に付着していたゴミが剥離する。剥離したゴミはその後のズーミング操作による空気の流動によって、上述したように粘着シート１５に吸着される。こうして、レンズ鏡筒１の内部のゴミは、撮影者が通常の撮影操作を行うごとに粘着シート１５に捕獲される。また、撮影しないときであっても、撮影するときと同様にズーミング操作を行うことによってレンズ鏡筒１の内部のゴミを吸着することができる。その結果、レンズ鏡筒１の内部の光学系やズーミング機構、さらにカメラ本体側の撮像素子（図示省略）等へのゴミの付着を防止することができる。
【００２４】
このように、本実施形態においては、撮影者が通常の撮影操作をすることによってレンズ鏡筒１内部のゴミを吸着することができる。その結果、ゴミ除去装置などの機器を用いることなく、レンズ鏡筒１内部のゴミが他の部品へ付着することを防止することのできるレンズ鏡筒を実現することができる。
【００２５】
なお、本発明の構成は本実施形態に限定されるものではない。例えば、本実施形態では凹部１３ａ、１３ｂに粘着シート１５を貼着したが、粘着シート１５に代えてゲル状の粘着物を配置しても良い。また、凹部を２箇所以上設けても良い。また、凹部は外筒側に設けても良い。このように本発明の構成は適宜変更が可能である。
【符号の説明】
【００２６】
１  レンズ鏡筒
３  内筒
５  （内筒の）外周面
７  外筒
９  （外筒の）内周面
１１  カム溝
１３ａ、１３ｂ  凹部
１５  粘着シート
【図４】
2012173408.tif 000003
【図５】
2012173408.tif 000004
【図１】
2012173408.tif 000005
【図２】
2012173408.tif 000006
【図３】
2012173408.tif 000007